(57)【要約】  【課題】  運動時でも着心地が楽で、バスト揺れ抑制効果の大きい構成であるとともにシルエットが美しいカップ部を有する衣類を提供する。  【解決手段】  裏布１４と表布１５で構成される２重構造部分を含む衣類であって、  前記裏布１４には左右の裏カップ部２Ａ，２Ｂを有し、前記表布には左右の表カップ領域部を有し、前記裏カップ部の裏カップ部取付部はバージスラインに沿った形状に構成し、前記裏カップ部は、そのカップトップ位置を高く構成してあるとともにバストを保持できるカップ部として構成してあり、前記表カップ領域部４５は前記裏カップ部２Ａ，２Ｂよりもカップトップ位置が低く、その底面積Ｓ２が裏カップ部取付部３Ａ，３Ｂの底面積Ｓ１よりも広い低重心設計のカップ領域部として構成してあり、前記裏カップ部取付部周り及び前記表カップ領域部周りは、それぞれ伸縮性のある布地で囲まれる構成にしてあることを特徴とする。【選択図】  図１０
2020147859.tif 000002
【特許請求の範囲】
【請求項１】
裏布と表布で構成される２重構造部分を含む衣類であって、
前記裏布には左右の裏カップ部を有し、
前記表布には左右の表カップ領域部を有し、
前記裏カップ部の裏カップ部取付部はバージスラインに沿った形状に構成し、
前記裏カップ部は、そのカップトップ位置を高く構成してあるとともにバストを保持できるカップ部として構成してあり、
前記表カップ領域部は前記裏カップ部よりもカップトップ位置が低く、その底面積が前記裏カップ部取付部の底面積よりも広い低重心設計のカップ領域部として構成してあり、
前記裏カップ部取付部周りは、伸縮性のある布地で囲まれる構成にしてあり、
前記表カップ領域部周りは、伸縮性のある布地で囲まれる構成にしてあることを特徴とする、カップ部を有する衣類。
【請求項２】
前記裏カップ部取付部周りは、前記伸縮性の布地の伸縮性の大きい方向が異なる複数の布で囲まれる構成にしてあり、
前記表カップ領域部周りは、前記伸縮性の布地の伸縮性の大きい方向が異なる複数の布で囲まれる構成にしてある、請求項１に記載のカップ部を有する衣類。
【請求項３】
少なくとも前記裏布のデコルテ領域に対応する上側帯領域に揺れ抑制効果のある伸縮性素材を設けた、請求項１〜請求項２のいずれか一項に記載のカップ部を有する衣類。
【請求項４】
前記裏カップ部取付部の内周側に前記裏カップ部に接続された伸縮性曲帯体を設けた、請求項１〜請求項３のいずれか一項に記載のカップ部を有する衣類。
【請求項５】
前記裏布は、前記左右の裏カップ部取付部間及び上側領域に設けられた伸縮性上中央布と、前記左の裏カップ部取付部と伸縮性左脇布の間の領域に設けられた伸縮性左側布と、前記右の裏カップ部取付部と伸縮性右脇布の間の領域に設けられた伸縮性右側布と、前記左右の裏カップ部取付部から見て下方側寄りに設けられた伸縮性下側布を有していることを特徴とする、請求項１〜請求項４のいずれか一項に記載のカップ部を有する衣類。
【請求項６】
前記伸縮性上中央布と前記伸縮性下側布は縦方向よりも横方向に伸縮性が大きい布材で構成され、
前記伸縮性左側布と前記伸縮性右側布は横方向よりも縦方向に伸縮性が大きい布材で構成され、
前記伸縮性左脇布と前記伸縮性右脇布は、縦方向よりも横方向に伸縮性が大きい布材で構成されている、請求項５に記載のカップ部を有する衣類。
【請求項７】
前記裏カップ部取付部の形状を維持するバージスラインに沿った形状維持部を設けた、請求項１〜請求項６のいずれか一項に記載のカップ部を有する衣類。
【請求項８】
前記伸縮性上中央布をメッシュ等の開口を有した伸縮性素材で構成した、請求項５〜請求項６のいずれか一項に記載のカップ部を有する衣類。
【請求項９】
横方向に締め付けることができる伸縮性下側バンド帯を前記裏カップ部の下部に設けた請求項１〜請求項８のいずれか一項に記載のカップ部を有する衣類。
【発明の詳細な説明】
【技術分野】
【０００１】
本発明はブラジャーに関し、特に、運動時に揺れ抑制効果の高いカップ部を有する衣類に関する。
【背景技術】
【０００２】
従来、ブラジャーは胸の形をきれいに保持するとともに、不必要な胸の揺れを抑えることを目的とされている。
しかし、走ったりすると、胸が大きく揺れ、特に、胸のサイズが大きい場合には、その揺れは大きくなり、ブラジャーの着用者にとって不快であるとともに胸の下垂の原因にもなる。
一方、運動を行うときに装着する運動用ブラジャーにおいては、バストの揺れを抑制する各種構成が考えられている。
【０００３】
例えば、下記特許文献１に示されるように、カップ部の揺れを抑制できるように複数本のテープ体を配置して、当該テープ体によって前記カップ部の揺れ抑制力を発揮させる構成が提案されている。
また、他の方法としては、カップ部やブラジャー裏布の締め付け圧を高めたブラジャーも開発されている。
【先行技術文献】
【特許文献】
【０００４】
【特許文献１】特開２００７−１６２１４６号公報
【発明の開示】
【発明が解決しようとする課題】
【０００５】
しかしながら、運動時のバストの動きを考えると、上記従来技術では、運動時でも着心地が良く、バストの揺れを抑制する効果の高いブラジャーを提供することは難しかった。
その理由を簡単に説明すると、図９（ａ）に示すような自然なバストは、走ることによる体の上下運動によって図９（ｂ）に示すようにバストは上下に揺れることになる。また、図９（ｃ）（ｄ）に示すように走る時に左右腕振りにより体が左右に振られることによって、バストは内側へ又は外側へ揺れることになる。
このように、走るという単純な運動であってもバストは上下、左右、斜め方向にも揺られて、結局、図９（ｅ）に示すように四方八方に不規則に揺れることになる。
したがって、前記引用文献１に記載されたような、ブラジャーの側面にテープ体を設ける方法では、運動時に全周囲方向に揺れるバストを抑制することは難しい。また、左右上下方向や斜め方向にテープ体を設けると、そのようなテープ体の存在が上半身の自由な動きを阻害して運動用ブラジャーとして機能しなくなる虞れがある。
【０００６】
また、単純に肩紐や脇布の連結部の締め付け圧を高めたり、カップ部やブラジャー素材の締め付け力を大きくするだけでは、バストの揺れを抑制しつつ、楽な着心地の運動用ブラジャーを提供することは難しかった。
なお、ブラジャー以外の身頃の付いたキャミソールタイプや、その他の衣類においても運動時にバストが大きく揺れる課題は同様に生じていた。
本発明は上記課題に鑑みてなされたものであり、本発明の目的は上記課題を解決できる衣類を提供することにある。
【０００７】
具体的な目的の一例を示すと、以下の通りである。
（ａ）運動時でも着心地が楽で、バスト揺れ抑制効果の大きい、カップ部を有する衣類を提供することにある。
なお、上記に記載した以外の発明の課題、その解決手段及びその効果は、後述する明細書内の記載において詳しく説明する。
【課題を解決するための手段】
【０００８】
本発明は多面的に表現できるが、例えば、代表的なものを挙げると、次のように構成したものである。
本発明に係るカップ部を有する衣類は、裏布と表布で構成される２重構造部分を含む衣類であって、
前記裏布には左右の裏カップ部を有し、
前記表布には左右の表カップ領域部を有し、
前記裏カップ部の裏カップ部取付部はバージスラインに沿った形状に構成し、
前記裏カップ部は、そのカップトップ位置を高く構成してあるとともにバストを保持できるカップ部として構成してあり、
前記表カップ領域部は前記裏カップ部よりもカップトップ位置が低く、その底面積が前記裏カップ部取付部の底面積よりも広い低重心設計のカップ領域部として構成してあり、
前記裏カップ部取付部周りは、伸縮性のある布地で囲まれる構成にしてあり、
前記表カップ領域部周りは、伸縮性のある布地で囲まれる構成にしてあることを特徴とする。
なお、「バージスラインに沿った形状」とはバージスラインとほぼ同じ、又は大小の相似形であることを意味する。
「裏カップ部取付部周り及び表カップ領域部周り」の「周り」という言葉、及び「伸縮性のある布地で囲まれる構成」の「囲まれる」という言葉は、必ずしもカップ部取付部及びカップ領域部の全周を囲む必要はない。実用的にバストの揺れを防止できる範囲内で囲んでいる構成があればよい。
【０００９】
この構成であれば、通常構成又は高重心構成の裏カップ部のバストの揺れを、低重心設計の表カップ領域部によって上方から抑えることで強力に抑制できる。つまり、通常構成又は高重心構成の裏カップ部と低重心設計のカップ領域部において、２重構造にすることで、バージスライン付近のバストの揺れを抑制する裏布の伸縮性のある布地と、裏カップ部内に保持されたバストの揺れを上方から抑制する表布の伸縮性のある布地との２つが存在することになり、着用者が楽な状態で、運動によって生じるバストの揺れを強力に抑制することができるのである。
また、バストを押しつぶすような形で揺れを防止するのではなく、カップ形状の異なる２重構造を採用することで、美しいバストラインはそのままで揺れを防止できるので、シルエット的にも美しいカップ部を有する衣類を提供することができる。
本発明に係る他の実施形態は、
前記裏カップ部取付部周りは、前記伸縮性の布地の伸縮性の大きい方向が異なる複数の布で囲まれる構成にしてあり、
前記表カップ領域部周りは、前記伸縮性の布地の伸縮性の大きい方向が異なる複数の布で囲まれる構成にしてあることを特徴とする。
「伸縮性の大きい方向」としては、横方向、縦方向、斜め方向などが例示できる。
また、複数の布の具体的構成において、「伸縮性が大きい」、「伸縮性が小さい」という設定方向は、あくまで、バストの揺れを抑制する抑制力を付与できるか否かという観点から各衣類に採用される。また、カップ部の形状や構成の個別事情に対応して設定されるべき事項である。
例えば、ある一定の力（単位的力）に対して伸び幅の大きいことを示す伸縮性が非常に大きすぎると、バストの揺れに対して対抗する十分な抑制力を得ることができない。逆に、生地の伸縮性が小さすぎると、伸縮性のない布地と同様になってバストの動きに対して生地が全く伸縮できず、前記特許文献１に示すような不都合が生じることになる。
これに対して、前記構成であれば、「伸縮性の大きい方向」を、例えば「生地の地の目の方向」などの要因を加味して、「伸縮性の大きい方向」が異なる複数の布で囲まれる構成を適宜、設定することで、多種多様の各種衣類において採用されるカップ部内のバストの揺れ力に対して効果的に抑制力を付与する構成を構築することが可能になる。
【００１０】
本発明に係る他の実施形態は、少なくとも前記裏布のデコルテ領域に対応する上側帯領域に揺れ抑制効果のある伸縮性素材を設けたことを特徴とする。
この構成であれば、上側帯領域に揺れ抑制効果のある伸縮性素材を設けた構成によって、効率的にバストの揺れを抑制することができる。
本発明に係る他の実施形態は、前記裏カップ部取付部の内周側に前記裏カップ部に接続された伸縮性曲帯体を設けたことを特徴とする。
この構成であれば、想定したカップ容量に対して大きなバストが収容された場合でも、伸縮性曲帯体が伸びることによって、実質的に裏カップ部の容積を大きくする事ができる。この構成であれば、例えば、２サイズのカップ大きさに対して対応することも可能になる。
【００１１】
本発明に係る他の実施形態は、前記裏布は、前記左右の裏カップ部取付部間及び上側領域に設けられた伸縮性上中央布と、前記左の裏カップ部取付部と伸縮性左脇布の間の領域に設けられた伸縮性左側布と、前記右の裏カップ部取付部と伸縮性右脇布の間の領域に設けられた伸縮性右側布と、前記左右の裏カップ部取付部から見て下方側寄りに設けられた伸縮性下側布を有していることを特徴とする。
この構成であれば、ブラジャーの裏布において、裏カップ部取付部の周囲に伸縮性布材を囲むように配置することができる。
【００１２】
本発明に係る他の実施形態は、
前記伸縮性上中央布と前記伸縮性下側布は縦方向よりも横方向に伸縮性が大きい布材で構成され、
前記伸縮性左側布と前記伸縮性右側布は横方向よりも縦方向に伸縮性が大きい布材で構成され、
前記伸縮性左脇布と前記伸縮性右脇布は、縦方向よりも横方向に伸縮性が大きい布材で構成されていることを特徴とする。
この構成であれば、カップ部取付部の周りを伸縮性の方向の異なる布材で囲むことによって、一方向に大きく揺れるということを抑制することができる。
【００１３】
本発明に係る他の実施形態は、前記裏カップ部取付部の形状を維持するバージスラインに沿った形状維持部を設けたことを特徴とする。
そのような形状維持部材としては各種芯材や、ワイヤーなど、その他の保形材を設ける構成が例示できる。
但し、本発明はワイヤーなどの形状維持部がない構成も当然に採用できる。
この構成であれば、バージスラインに沿った形状維持部を設けたので、入り口部の形状が安定し、裏カップ部取付部内にバストを保持しやくなる。
【００１４】
本発明に係る他の実施形態は、前記伸縮性上中央布をメッシュ等の開口を有した伸縮性素材で構成したことを特徴とする。
この構成であれば、首下部や胸の間の領域は、汗をかきやすい箇所である。この箇所に開口を有した伸縮性素材を採用することで、ムレを軽減し、快適な環境にするカップ部を有する衣類を提供できる。
なお、本発明においてメッシュ等の開口を用いない構成も当然に採用できる。
【００１５】
本発明に係る他の実施形態は、横方向に締め付けることができる伸縮性下側バンド帯を前記裏カップ部の下部に設けたことを特徴とする。
この構成であれば、伸縮性下側バンド帯を設けることで左右脇布の締め付け程度を調整しやすくなる。また、さらにバスト全体の揺れを抑制できる。
【発明の効果】
【００１６】
以上説明したように、本発明であれば、運動時でも着心地が楽で、運動時にバスト揺れ抑制効果の大きい、カップ部を有する衣類を提供することができた。
【図面の簡単な説明】
【００１７】
【図１】本発明の第１実施形態に係る運動用ブラジャーにおいて、表布を取り除いた状態での正面図である。
【図２】本発明の第１実施形態に係る運動用ブラジャーの通常状態を示す図であり、表布を有する正面図である。
【図３】バージスラインを説明するための図である。
【図４】表布を予想線で描いた裏布のブラジャー構成を示す図である。
【図５】本発明の第１実施形態に係る運動用ブラジャーにおいて、表布の伸縮性の方向を説明するための正面図である。
【図６】本発明の第１実施形態に係る運動用ブラジャーにおいて、裏布の伸縮性の方向を説明するための正面図である。
【図７】運動時にバストの揺れを抑制する場合の課題を説明するための図である。
【図８】本実施形態に係る伸縮性曲帯体の機能を説明するための図であり、（ａ）は伸縮性曲帯体が設けられたカップ部取付部の正面図、（ｂ）（ｃ）はそれぞれその側面図である。
【図９】運動に伴うバストの揺れを説明するための図であり、（ａ）はバストを示す側面図、（ｂ）はバストの上下動を説明するための側面図、（ｃ）（ｄ）はそれぞれ左右の手を振って走るときのバストの揺れを説明するための側面図、（ｅ）は正面からバストを見た図である。
【図１０】本発明の第１実施形態において、２つのカップ部の形状の違いを説明するための図であり、（ａ）は裏布を示す斜視図、（ｂ）は裏カップ部の底面積の一例を示す図、（ｃ）は表布を示す斜視図、（ｄ）は表カップ部領域の底面積の一例を示す図である。
【図１１】裏布と表布の機能を説明するための図であり、（ａ）はブラジャーの側面図、（ｂ）はブラジャーを上から見た模式図、（ｃ）は表布を想像線で描いた正面図である。
【図１２】本発明の第２実施形態を説明するための運動用ブラジャーの正面図である。
【発明を実施するための形態】
【００１８】
［第１実施形態］
以下、本発明に係るカップ部を有する衣類について、ブラジャーを例に取り、図面を参照しつつ詳細に説明する。
なお、本明細書において、「上下方向」とは着用者の縦方向Ｙ（身長方向）、「左右方向」とは着用者の横方向Ｘ（幅方向）を意味する。また、「表布」とはブラジャーの表側（すなわち、着用者の肌側とは反対の外面側）を覆う布を意味し、「裏布」とは、着用者の肌側を覆う布を意味する。「前」とは人体の前側（胸側）、「後」とは人体の後側（背中側）を意味する。
【００１９】
以下、各部材の構成について説明する。
＜基本構成＞
図１及び図２に示す、第１実施形態に係る運動用ブラジャー１（以下、単に、ブラジャー１と称する）は、図１に示す裏布１４と図２に示す表布１５とで構成される２重構造部分を含むブラジャーである。つまり、図２に示す表布１５を図１に示す裏布１４上にカバー布のように設けた２枚重ね構造になっている。
図１に示すように、本ブラジャー１の裏布１４には、バスト用の左右の裏カップ部２Ａ，２Ｂと、左右の裏カップ部２Ａ，２Ｂを取り付けるための左右の裏カップ部取付部３Ａ，３Ｂと、左右の裏カップ部取付部３Ａ，３Ｂを周囲から囲む伸縮性前布４と、伸縮性前布４に付設された左右肩布（図示せず）と、伸縮性前布４の左右両側に設けられた伸縮性左右脇布６Ａ，６Ｂとを備えている。伸縮性前布４は裏布１４の前部に設けられている。表布１５は少なくとも伸縮性前布４を覆うように設けられる。
【００２０】
本実施形態では、雌型係止具１２と雄型係止具１３とを繋ぐように延設された幅広の下側バンド帯１１を設けた構成が示してある。雌型係止具１２は右脇布６Ｂの端部に取り付けられており、雄型係止具１３は左脇布６Ａの端部に取り付けられている。
なお、本発明において、雌型係止具１２と雄型係止具１３等で構成されるフック部を有した構成も、フック部を有していない構成も採用することができる。
また、下側バンド帯１１は横幅方向に伸縮性のある素材で構成される部材であり、適宜、省略することも可能である。
【００２１】
＜左右の裏カップ部２Ａ，２Ｂ＞
左右の裏カップ部２Ａ，２Ｂ及び裏カップ部取付部３Ａ，３Ｂは両者で、着用者のバストボリュームをまとめてすっぽり収めるバスト部を構成する。裏カップ部２Ａ，２Ｂはこの実施形態に示す構成では３枚の布地を縫い合わせることで立体的な構成になっている。裏カップ部２Ａ，２Ｂの首下の部分は、略Ｖ字形の傾斜線によって一対の略楕円形の裏カップ部２Ａ，２ＢがＶ字形に切り取られたような形状になっている。
図３に示すバージスライン２１に沿って裏カップ部取付部３Ａ，３Ｂの入口曲線を設定してある。
なお、図１０（ａ）に示すように、左右の裏カップ部２Ａ，２Ｂはバストを入れて保持できるように肌面からのカップトップ位置までの高さＨ１は高く形成されている。また、図１０（ｂ）に示すように裏カップ部取付部３Ａ，３Ｂの略円形の底面積Ｓ１はカップ部として通常の大きさに設定してある。
【００２２】
＜左右の裏カップ部取付部３Ａ，３Ｂ＞
ブラジャー１の伸縮性前布４に、左右の裏カップ部２Ａ，２Ｂを取り付ける取付基部としての左右の裏カップ部取付部３Ａ，３Ｂが設けられる。この構成では、左右の裏カップ部取付部３Ａ，３Ｂは伸縮性前布４に周囲を取り囲まれるように設けられることになる。
左右の裏カップ部取付部３Ａ，３Ｂは、後述する伸縮性曲帯体２０が設けられる帯幅分だけ、左右の裏カップ部２Ａ，２Ｂの外形よりも大きくなる。左右の裏カップ部取付部３Ａ，３Ｂの形状は左右の裏カップ部２Ａ，２Ｂと略相似形になる場合が多い。
【００２３】
＜伸縮性前布４＞
図１に示すように、伸縮性前布４は、伸縮性上中央布７と、伸縮性左側布８と、伸縮性右側布９と、伸縮性下側布１０とを含んで構成される。
伸縮性前布４は伸縮性を有する素材により構成されており、このような素材としては、例えば、パワーネット、サテンネット、トリコネット、ツーウェイトリコットあるいはツーウェイラッセルを例示することができる。
伸縮性上中央布７は、左右の裏カップ部取付部３Ａ，３Ｂの間の略Ｖ字形の隙間を塞ぐような形状の伸縮性布で構成されている。
伸縮性上中央布７は、左傾斜辺７ａ、右傾斜線７ｂ、左脇曲辺７ｃ、右脇曲辺７ｄ、首部円形辺７ｅ、下側布接続辺７ｆを有している。
この伸縮性上中央布７の一例として、合成樹脂繊維でメッシュ状に編み込んだ素材を採用することもできる。メッシュに構成すると、運動時にも涼しく着用できる利点がある。
【００２４】
左脇布６Ａと左裏カップ部取付部３Ａの間の領域に設けられる略Ｃ字形布である左側布８は、左脇布６Ａとの左脇縫合線１６において縫合する左縦接続辺８ａと、左脇曲辺８ｂと、前記左傾斜辺７ａの一部と縫合される左傾斜辺８ｃと、左裏カップ部取付部３Ａの略円弧形の左側部及び下側部と縫合される取付辺８ｄと、左裏カップ部取付部３Ａの下側部において下側布１０の左側端部と縫合される左下接続辺８ｅと、下側バンド帯１１の上辺と縫合されるバンド帯側下辺８ｆとを有している。
【００２５】
一方、右脇布６Ｂと右裏カップ部取付部３Ｂの間の領域に設けられる逆略Ｃ字形布である右側布９は、右脇布６Ｂとの右脇縫合線１７において縫合する右縦接続辺９ａと、左脇曲辺９ｂと、前記左傾斜辺７ｂの一部と縫合される左傾斜辺９ｃと、右裏カップ部取付部３Ｂの略円弧形の右側部及び下側部と縫合される取付辺９ｄと、右裏カップ部取付部３Ｂの下側部において下側布１０の右側端部と縫合される下接続辺９ｅと、下側バンド帯１１の上辺と縫合されるバンド帯側下辺９ｆとを有している。
下側布１０は、左側布８との左下接続辺１０ａと、左裏カップ部取付部３Ａの下中央側部と縫合する取付辺１０ｂと、裏上中央布７との接続辺１０ｃと、右裏カップ部取付部３Ｂの下中央側部と縫合する取付辺１０ｄと、右側布９との右下接続辺１０ｅと、下側バンド帯１１の上辺と縫合されるバンド帯側辺１０ｆとを有している。
【００２６】
＜表布１５＞
図１、図２、図１０及び図１１に示すように、表布１５は、裏布１４の伸縮性前布４の領域をカバーするように設けられる布材である。
図１０（ａ）に示すように、表布１５に形成される左右の表カップ領域部４５Ａ，４５Ｂは、裏布１４に形成される裏カップ部２Ａ，２Ｂのカップ形状に比べて低重心設定にされている。低重心設定とはバストを山として考えた場合、山の高さが低く、底面積が大きい形状を意味する。具体的に言えば、図１０（ａ）の裏カップ部２Ａ，２Ｂの高さＨ１に比べて、図１０（ｃ）の表カップ領域部４５Ａ，４５Ｂの高さＨ２は小さく設定してあり、図１０（ｂ）の裏カップ部取付部３Ａ，３Ｂの底面積Ｓ１に比べて、図１０（ｄ）の表カップ領域部４５Ａ，４５Ｂの底面積Ｓ２は大きく設定してある。
また、表カップ領域部４５Ａ，４５Ｂの形状や底面積Ｓ２の形は適宜、カップ部を有した衣類毎に色々な形状に設計することができる。図１０及び図１１に示す構成は一例に過ぎない。
表布１５においては、図２に示すように、少なくとも裏布１４のデコルテ領域に対応する上側帯領域４６（点が散在する領域）に揺れ抑制効果の高い伸縮性素材を設けることが好ましい。上側帯領域４６にそのような伸縮性素材を設けることで、裏カップ部２Ａ，２Ｂの揺れを強力に抑えることができる。
【００２７】
図２に示す、表布１５は、中央布２６と両側のサイド布２７からなる立体形状に構成されている。中央布２６は首下部の幅領域が下に行くほど狭くなる略Ｖ字形になっている。中央布２６とサイド布２７も伸縮性のある布材で構成してある。
なお、表布１５を下地が透けない素材を用いて構成することも可能であり、また、裏布１４が透けて見える構成も採用できる。
【００２８】
＜伸縮性曲帯体２０＞
図１及び図８に示すように、伸縮性曲帯体２０は裏カップ部２Ａ，２Ｂの外周縁２Ａ１，２Ｂ１と裏カップ部取付部３Ａ，３Ｂの内周縁３Ａ１，３Ｂ１の間に設けられる伸縮性の帯体である。
伸縮性曲帯体２０によって裏カップ部２Ａ，２Ｂに挿入されるバストの大きさが違っても自動的に調整して、バストを無理なく収容することが可能になる。伸縮性曲帯体２０に採用される伸縮率の程度は伸縮性前布４の各布の程度よりも大きく設定されることが好ましい。即ち、同じ伸ばす方向の力が加わった時に、伸縮性曲帯体２０の伸縮率は伸縮性前布４の各布の伸縮率よりも大きくなるように設定することが好ましい。
このような伸縮性曲帯体２０を設けることで、色々な大きさのバストを裏カップ部２Ａ，２Ｂに挿入した場合でも、バストのフィット感を向上させた状態で収容することができる。図８（ｂ）は小さいバストを裏カップ部２Ａ，２Ｂ内に入れたときの状態を示す図であり、図８（ｃ）は大きいバストを裏カップ部２Ａ，２Ｂ内に入れたときの状態を示す図である。図８（ｃ）に示すように、大きいバストを入れた場合に伸縮性曲帯体２０が伸びるとともに、サイズ調整力２２が働いて、フィット感を向上できる。
なお、本発明では、伸縮性曲帯体２０がある実施形態と伸縮性曲帯体２０を設けない実施形態の両方を採用することが可能である。伸縮性曲帯体２０がない実施形態では、裏カップ部２Ａ，２Ｂの底面積は、裏カップ部取付部３Ａ，３Ｂの底面積Ｓ１になる。
【００２９】
＜伸縮性布の伸びやすい方向の組み合わせ構成＞
図６に示すように、裏布においても伸縮性の大きい方向を示す矢印３０とすれば、横方向に伸縮性の大きい脇布６Ａ，６Ｂ、縦方向に伸縮性の大きい左右側布８，９、横方向に伸縮性の大きい裏上中央布７と下側布１０というように、横、縦、横というように互い違いに伸縮性の大きい布の方向を異ならせることでバストの揺れを押さ込む作用を強くすることも適宜、必要に応じて採用が可能である。
同様に、図５に示すように、表布１５においても、横方向に伸縮性の大きい脇布６Ａ，６Ｂ、縦方向に伸縮性の大きいサイド布２７，２７、横方向に伸縮性の大きい中央布２６というように、横、縦、横というように互い違いに伸縮性の大きい布の方向を異ならせることでバストの揺れを抑え込む作用を強くすることができる。
【００３０】
＜肩紐部＞
この実施形態では肩紐部は省略して描いている。図１に示す左右脇布６Ａ，６Ｂの上部位置に接続される肩紐部については、適宜、通常のブラジャーや運動用ブラジャーで採用される肩紐部を適用することが可能である。この場合は、肩紐部の長さを調整することでブラジャーの着用時の締め付け強度を調整できる構成を採用することもできる。
また、伸長度が高い肩部を構成できれば紐形状にすることは不要になる。いずれにせよ、本発明における肩紐部はブラジャー及び衣類の種類や用途によって、適宜、選択又は省略されるものである。
【００３１】
＜特徴及び作用＞
以下、本実施形態に係るブラジャーについてその特徴と作用について簡単に説明する。
本実施形態のブラジャーの目的は、運動時に四方八方に不規則に振動するバストの揺れを着用者が楽な状態で抑制し、外観及びシルエットも美しいブラジャーを提供することである。
なお、これらの目的はブラジャー以外のカップ部を有する衣類でも同様である。
ここで、カップ部を構成する布の弾性力を強くするだけや、バストを押さえつける構成だけで、運動時のバストの揺れを抑えようとすると、図７に示すように、バスト自体が潰れて本来のラインの美しさが出ないとともに、バストの形が悪くなってしまう課題がある。
また、運動中に、胸を締め付けられることで着用者は圧迫感を感じ、着心地が悪い衣類になってしまう課題も生じる。
【００３２】
＜２重構造による揺れの抑制＞
これに対して、本実施形態の構成では、図１に示す裏布１４と表布１５を設けた２重構造にすることで、バストの揺れを強力に抑制することができる。
その理由について説明する。
図１０及び図１１に示すように、裏布１４に設けられる裏カップ部２Ａ，２Ｂは、前記したようにカップトップ位置が高く、裏カップ部取付部３Ａ，３Ｂはバージスライン２１に沿った形状に構成されており、バストを裏カップ部２Ａ，２Ｂ及び裏カップ部取付部３Ａ，３Ｂに挿入する形になるとともに、伸縮性前布４によって裏カップ部２Ａ，２Ｂが保持されている構成になっている。
この構成であると、伸縮性前布４によってバージスライン２１において、バストが肌身に沿った形で固定されるような状態になるので、バストの裾野域が運動によって揺れることが抑制される。
したがって、運動によるバストの揺れはバージスライン２１より先端側の裏カップ部２Ａ，２Ｂにあるバストにある程度限定される。しかも、この裏カップ部２Ａ，２Ｂの揺れは、表布１５に形成された表カップ領域部４５の低重心構造によって、前後、上下、左右に揺れることを防止するように抑え付けられる構成になっているので、美しい形でバストの揺れを抑制できる。
さらに、デコルテ領域に対応する上側帯領域４６において、揺れを強く抑える機能を有する素材を用いることでその効果をさらに高めることができる。
【００３３】
横側から見た場合、図１０（ａ）に示すように裏布１４では裏カップ部２Ａ，２Ｂが突出して見えるが、図２に示すように、表布１５を設けた構成では中央布２６とサイド布２７の存在によって裏カップ部２Ａ，２Ｂは隠れてしまい、バストを強調しない衣服とすることもできる。
【００３４】
＜伸縮性の大きい方向の配置＞
また、図５に伸縮性の大きい方向である矢印３０に示すように、必要により、表布１５の中央布２６は横方向が縦方向よりも伸縮性が高く、両側のサイド布２７は縦方向が横方向よりも伸縮性が高いように構成することもできる。
中央布２６の素材の一例として、合成樹脂繊維をメッシュ状に編み込んだ素材に合成樹脂製の布材を溶着して一体化した布材を用いることもできる。
【００３５】
［第２実施形態］
図１２は本ブラジャーの第２実施形態を説明するための図である。この第２実施形態の特徴は、裏カップ部取付部３Ａ，３Ｂ自体、又は裏カップ部取付部３Ａ，３Ｂの外周部に形状維持部３２を設けたことを特徴としている。
この実施形態では形状維持部３２を略円弧形のワイヤーで構成してある。ワイヤーは所定の可撓性と弾性力を有しており、ブラジャー１の動きに関わらず、裏カップ部取付部３Ａ，３Ｂの形状を保持する機能がある。
なお、裏カップ部取付部３Ａ，３Ｂの形状を維持する機能があれば、ワイヤー以外の形状維持部３２も採用できる。また、ワイヤーなどを有さない構成も当然に採用できる。
【００３６】
本発明は上記実施形態以外にも本発明の要旨を変更しない範囲で種々の変形を行うことが可能である。
（１）前記実施形態では伸縮性曲帯体２０を裏カップ部２Ａ，２Ｂの一部の領域には設けない構成を例示したが、伸縮性曲帯体２０を裏カップ部２Ａ，２Ｂの全周に設ける構成も適宜採用することが可能である。
（２）伸縮性前布４の中に裏カップ部取付部３Ａ，３Ｂを設ける場合において、各布の形状や縫合構成は各種の変形が採用できる。本実施形態に示した各布の形状は一例に過ぎないものである。
（３）前記実施形態に示すように、伸縮性曲帯体２０を裏カップ部２Ａ，２Ｂの胸内側の傾斜線部を除いて設けることも可能である。この構成であれば、全周に伸縮性曲帯体２０を設けなくてもバストサイズの大小に対処することができる。
【符号の説明】
【００３７】
１…運動用ブラジャー（カップ部を有する衣類の一例）
２Ａ，２Ｂ…左右の裏カップ部
３Ａ，３Ｂ…裏カップ部取付部
４…伸縮性裏布
６Ａ，６Ｂ…伸縮性左右脇布
７…伸縮性上中央布
８…伸縮性左側布
９…伸縮性右側布
１０…伸縮性下側布
１１…伸縮性下側バンド帯
１４…裏布
１５…表布
２０…伸縮性曲帯体
２１…バージスライン
３２…形状維持部
４５…表カップ領域部
４６…上側帯領域
【図１】
2020147859.tif 000003
【図２】
2020147859.tif 000004
【図３】
2020147859.tif 000005
【図４】
2020147859.tif 000006
【図５】
2020147859.tif 000007
【図６】
2020147859.tif 000008
【図７】
2020147859.tif 000009
【図８】
2020147859.tif 000010
【図９】
2020147859.tif 000011
【図１０】
2020147859.tif 000012
【図１１】
2020147859.tif 000013
【図１２】
2020147859.tif 000014
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
裏布と表布で構成される２重構造部分を含む衣類であって、
前記裏布には左右の裏カップ部を有し、
前記表布には左右の表カップ領域部を有し、
前記裏カップ部の裏カップ部取付部はバージスラインに沿った形状に構成し、
前記裏カップ部は、そのカップトップ位置を高く構成してあるとともにバストを保持できるカップ部として構成してあり、
前記表カップ領域部は前記裏カップ部よりもカップトップ位置が低く、その底面積が前記裏カップ部取付部の底面積よりも広い低重心設計のカップ領域部として構成してあり、
前記裏カップ部取付部周りは、伸縮性のある布地で囲まれる構成にしてあり、
前記表カップ領域部周りは、伸縮性のある布地で囲まれる構成にしてあり、
前記裏カップ部取付部周りは、前記伸縮性の布地の伸縮性の大きい方向が異なる複数の布で囲まれる構成にしてあり、
前記表カップ領域部周りは、前記伸縮性の布地の伸縮性の大きい方向が異なる複数の布で囲まれる構成にしてあることを特徴とする、カップ部を有する衣類。
【請求項２】
少なくとも前記裏布のデコルテ領域に対応する前記表布の上側帯領域に揺れ抑制効果のある伸縮性素材を設けた、請求項１に記載のカップ部を有する衣類。
【請求項３】
前記裏カップ部取付部の内周側に前記裏カップ部に接続された伸縮性曲帯体を設けた、請求項１〜請求項２のいずれか一項に記載のカップ部を有する衣類。
【請求項４】
前記裏布は、前記左右の裏カップ部取付部間及び上側領域に設けられた伸縮性上中央布と、前記左の裏カップ部取付部と伸縮性左脇布の間の領域に設けられた伸縮性左側布と、前記右の裏カップ部取付部と伸縮性右脇布の間の領域に設けられた伸縮性右側布と、前記左右の裏カップ部取付部から見て下方側寄りに設けられた伸縮性下側布を有していることを特徴とする、請求項１〜請求項３のいずれか一項に記載のカップ部を有する衣類。
【請求項５】
前記伸縮性上中央布と前記伸縮性下側布は縦方向よりも横方向に伸縮性が大きい布材で構成され、
前記伸縮性左側布と前記伸縮性右側布は横方向よりも縦方向に伸縮性が大きい布材で構成され、
前記伸縮性左脇布と前記伸縮性右脇布は、縦方向よりも横方向に伸縮性が大きい布材で構成されている、請求項４に記載のカップ部を有する衣類。
【請求項６】
前記裏カップ部取付部の形状を維持するバージスラインに沿った形状維持部を設けた、請求項１〜請求項５のいずれか一項に記載のカップ部を有する衣類。
【請求項７】
前記伸縮性上中央布をメッシュ等の開口を有した伸縮性素材で構成した、請求項４〜請求項５のいずれか一項に記載のカップ部を有する衣類。
【請求項８】
横方向に締め付けることができる伸縮性下側バンド帯を前記裏カップ部の下部に設けた請求項１〜請求項７のいずれか一項に記載のカップ部を有する衣類。